(57)【要約】  【課題】  従来の第１と第２の制御回路部で分割された構成をとるプリンタにおいてパワーオフ時、第１の制御回路部のみで電源制御を行なうと、次の様な懸念がある。システム制御部側の判断で電源が落とされると、記録ヘッドの駆動電圧の立下がりよりロジック系電源（例えば＋５V）の立下がりが先行したりすることが考えられ、記録ヘッドの内部では駆動素子が不用意にＯＮする為に、インク吐出ノズルのノズルヒータを破壊するような問題も生じてしまう。  【課題を解決するための手段】  二つの制御回路部に分割された構成をとるインクジェットプリンタにおいて、双方の制御回路部に電源制御信号を設け、論理演算回路によってロジック電源の電圧を制御し、また、第１の制御回路部からの電源制御信号を第２の制御回路部で監視することで安全にパワーオフモード（或いは低消費電力モード）へ移行できるようにした。  【選択図】    図７
2007055025.tif 000002
【特許請求の範囲】
【請求項１】
記録ヘッドにより記録媒体に記録を行なう記録装置であって、
前記記録装置には、第１の制御回路部と第２の制御回路部を制御するための独立なＣＰＵが搭載されており、前記第１の制御回路部からの第１の電源制御信号と、前記第２の制御回路部からの第２の電源制御信号、及び前記第１の電源制御信号と、前記第２の電源制御信号との論理演算回路を具え、前記論理演算回路の演算結果をもとに電源の一部を制御する制御手段をさらに具えることを特徴とする、記録装置の電源制御方法。
【請求項２】
前記第１の電源制御信号を、前記第２の制御回路部にて監視する監視手段をさらに具えることを特徴とする請求項１記載の記録装置の電源制御方法。
【請求項３】
前記制御手段による制御後において、少なくとも前記第１の制御回路部の一部には電源を供給することを特徴とした請求項１、又は２に記載の記録装置の電源制御方法。
【発明の詳細な説明】
【技術分野】
【０００１】
本発明は記録動作に比較的大電力を必要とする高速で且つ電源オフ時には所定の動作を実行後パワーオフ（シャットダウン）するシーケンスを備える記録装置の電源制御方法に関する。
【背景技術】
【０００２】
プリンタのメカ制御動作を行なう第２の制御回路部（以降、エンジン部と呼ぶ）とパソコンとのデータ通信を行なう第１の制御回路部（以降、インタフェース部と呼ぶ）を備えている構成をとるインクジェットプリンタ等の記録装置は、通常エンジン部にＣＰＵが備えられ、またインタフェース部にも夫々独立したＣＰＵが備えられている。
【０００３】
これらインクジェットプリンタ等記録装置の特徴として、インタフェース部をカスタマイズすることによって様々なインタフェースを組み込むことができるようになっている。
【０００４】
近年、環境問題において待機時の消費電力を抑えるように、エネルギースター対応や、ブルーエンジェル対応など様々な消費電力量（ワッテージ）が基準値として用いられている。それらの基準値を満たすためにインクジェットプリンタでも様々な取り組みが為されている。
【０００５】
従来インクジェットプリンタにはＡＣ電源のメインスイッチの他にソフトスイッチキーを搭載しているものがある。これは、ＡＣ電源のメインスイッチのオンと同時にインクジェットプリンタ内部のＣＰＵが動作を開始して電源を監視し、ソフトスイッチが押されると操作パネルのＬＥＤを点滅させ低消費モード状態であることを知らせる構成になっている。
【０００６】
しかし、インクジェットプリンタ内のＣＰＵを含めた一部のハードウェアはこの状態であっても継続的に動作しており、待機時の消費電力は更に低下させる余地が残っている。
【０００７】
近年のインクジェットプリンタではパワーオフ動作後は低消費モード状態での消費電力を更に小さくするためにパワー系の電源（例えば＋２４Ｖ）をオフさせる機能に加え、エンジン部のロジック系（＋５Ｖ）の出力を切断し、且つインタフェース部のＣＰＵの内一部の割り込み回路のみ動作継続させる工夫などにより低消費電力化が推進されてきた。
(例えば、特許文献１)
【０００８】
【特許文献１】特開2000-326590
【発明の開示】
【発明が解決しようとする課題】
【０００９】
従来のエンジン部、インタフェース部と分割された構成をとる記録装置においてパワーオフ（シャットダウン）時、上記のような工夫を伴う場合には次の様な懸念がある。
例えば、インタフェース部のＣＰＵで電源制御信号を制御していた場合、印刷中にもかかわらずインタフェース部のＣＰＵが偶発的に誤動作、暴走などの状態に陥るとエンジン部分に供給されている電源を不用意にオフしてしまうため記録ヘッドが印字ポジションで剥き出しのまま止まってしまう問題が発生する。
また、エンジン部が記録ヘッドの駆動電圧（例えば別系統の＋２４V）のオン、オフ制御を行なっている場合、インタフェース部の判断で電源が急に落とされてしまうようなことがあると、記録ヘッドの駆動電圧の立下がりよりロジック系電源（例えば＋５V）の立下がりが先行したりすることが考えられ、記録ヘッドの内部では駆動素子が不用意にＯＮする為に、インク吐出ノズルのノズルヒータを破壊するような問題も生じてしまう。
【課題を解決するための手段】
【００１０】
上記に記載の問題を解決するために本発明は為されたものであり、課題を解決するために下記の手段を実施した。
即ち、本発明による記録装置の電源制御方法は、
記録装置内に第１の制御回路部と第２の制御回路部を制御するための独立なＣＰＵが搭載されており、前記第１の制御回路部からの第１の電源制御信号と、前記第２の制御回路部からの第２電源制御信号、及び前記第１の電源制御信号と、前記第２電源制御信号との論理演算回路を具え、前記論理演算回路の演算結果をもとに電源の一部を制御する制御手段をさらに具えることを特徴とする、記録装置の電源制御方法。
【００１１】
又、本発明による記録装置の電源制御方法は、前記第１の電源制御信号を、前記第２の制御回路部にて監視する監視手段をさらに具えることを特徴とする。
【００１２】
更に、本発明による記録装置の電源制御方法は、前記制御手段による制御後において、少なくとも前記第１の制御回路部の一部には電源を供給することを特徴とする。
【発明の効果】
【００１３】
本発明の構成によれば、第１の制御回路部と第２の制御回路部にはそれぞれを制御するためのマイコンが搭載されており、第１の制御回路部からの電源制御信号の他に第２の制御回路部に電源制御信号を設け、論理演算回路によってロジック電源の電圧を制御することでパワーダウン（シャットダウン）時の低消費モードへ移行することに対して安全なシーケンスを実行することができ、且つ記録ヘッドの不用意な故障等を未然に防止できる。
【発明を実施するための最良の形態】
【００１４】
以下、図面を参照して本発明の記録装置に関わる実施例について詳細に説明する。
【実施例】
【００１５】
図１は本実施例で使用する記録装置にホストコンピュータを接続した記録システムを示す構成図である。
記録装置１０１とホストコンピュータＰＣ１００とは、プリンタケーブル１０３で接続され、ホストコンピュータＰＣ１００にて処理された記録データを記録装置１０１にて記録するように構成されている。記録装置１０１は、上部に後述の記録ヘッド２０３を含む記録部２００（図２参照）を有し、下部には記録媒体を搬送する搬送部２０４（図２参照）をはじめ、記録ヘッドに供給されるインクを貯蔵するインクカートリッジを交換する為開閉する前カバー（不図示）等を含む。記録装置１０１の上流部には、ロール状に巻かれたラベル紙１１２を装着するロール駆動軸１１３、ロール駆動軸１１３を駆動するモータ（不図示）等から構成されている。１０５は記録装置の電源スイッチ、１０６は記録装置の操作パネルで、表示用のＬＣＤ１０８の他、いくつかのＬＥＤ表示ランプや入力キーをもつ。入力キーの１つがエコスイッチ（パワーオンオフスイッチ）１０７で、通常この種の記録装置では電源スイッチ１０５はＯＮ状態のまま操作され、簡易的にエコスイッチ１０７でパワーオン、又はパワーオフ（シャットダウン）される。エコスイッチ１０７の操作では記録ヘッドやモータ等のアクチュエータを駆動する大電力駆動系電源（例えば＋２４V）だけをオン・オフするが、後述する制御部の電源（例えば＋５V）は一部オン状態を維持する。又、ネットワークプリンタとして使われる様な場合にはエコスイッチ１０７の代りに外部から記録装置１０１へ送られるコマンドによって自動的にオン・オフするようにしても良い。
【００１６】
図２は記録装置１０１の記録部２００の概略を示す図である。給紙部から１枚ずつ送られてきたラベル紙１１２の先端、及び後端が透過型の先端検知センサ２０２で検知され、これらの位置を基準に複数の記録ヘッド２０３にて記録動作が行われる。図２の実施例では記録ヘッド２０３は上流から２０３Ｂｋ（ブラック）、Ｃ（シアン）、Ｍ（マジェンタ）、そして２０３Ｙ（イエロー）の４本の記録ヘッドで構成され、全ての記録ヘッド２０３Ｂｋ、Ｃ、Ｍ、そして２０３Ｙはラベル紙１１２に近接した記録位置上で静止状態を保ちそれらの下部をラベル紙１１２が一定の搬送速度、例えば１００〔ｍｍ／ｓｅｃ〕で通過中に各記録ヘッド２０３Ｂｋ、Ｃ、Ｍ、そして２０３Ｙから吐出されるインクによってカラー記録される。なお各記録ヘッドの幅は記録媒体の幅とほぼ同じである。
図３は本発明を実施した記録装置の制御部３００の電気的なブロック図であり、電気的な信号の流れと各構成要素の機能を説明する。
図において、ＣＰＵ３０１は処理部で、後述するプログラムに基づき記録装置内部の制御を行なう。ＣＰＵ３０２はホストインタフェースで、ホストコンピュータ１００ともう一方のＣＰＵ３０１との通信を担う。３０３および３１１は、プログラムメモリのＲＯＭで、特に３０３は後述するフローに対応するプログラムが記憶され、ＣＰＵ３０１により読み出される。３０４はイメージメモリで、記録装置で記録される記録データが記憶される。３０５はワークメモリで、ホストコンピュータとのやり取り、記録データの記録制御のための制御データを記憶する。３０６はＥＥＰＲＯＭで不揮発性メモリとなっており、電源を落とした場合に、記憶しておくデータを記憶する。３０７は記録ヘッド制御回路で、ＣＰＵ３０２から記録データおよびＣＰＵ３０１から制御データを受けて、記録ヘッド２０３を制御する。３０８は入出力ポートで、搬送部、給紙部および電源などを制御する。また、３０８は、透過型先端検知センサ等からのセンサ情報を入力する。
記録装置１０１で記録する記録データを含む種々のコマンドはホストコンピュータ１００から記録装置のホストインタフェースＣＰＵ３０２を介して受信され、受信されたデータを一旦受信バッファメモリ３１０に記憶し、エンジンＣＰＵ３０１へ転送する。ＣＰＵ３０１で解析されたコマンドに従って展開されイメージメモリ３０４に一時的に記憶される。ＣＰＵ３０１の動作は前述したようにプログラムＲＯＭ３０３に記憶されたプログラムに基づき実行される。又ＣＰＵ３０１は記録動作するためにワークメモリ３０５に必要なパラメータ等を記憶する。ＥＥＰＲＯＭ３０６は書き換え可能な不揮発性メモリで例えば実装している複数の記録ヘッド２０３の製造番号や各記録ヘッド間の縦方向、横方向の記録位置（レジストレーション）を微調整するための変数等を記憶する。イメージメモリ３０４に予め決められた量の記録データを展開し終わるとＣＰＵ３０１は給紙部１０９からラベル紙１１２の給紙させるモータ等（図示せず）を起動、並行して記録ヘッド２０３をキャッピング位置（図示せず）から記録位置へ移動させ、さらに搬送部２０４のモータ（図示せず）の起動等を行い記録動作の準備する。上流側の透過型先端検知センサ２０２（図２参照）でラベル紙１１２の先端が検知され、検知された位置に基づきＣＰＵ３０１は記録ヘッド制御回路３０７を介してＢｋ、Ｃ、Ｍ、Ｙの各々の記録ヘッド２０３に記録位置に同期した記録データを転送するように制御する。全ての記録ヘッドを通過しカラー記録が終了後、ラベル紙１１２は下流側の透過型センサ２０５で通過が検知され、その後記録装置１０１から排紙される。下流側の透過型センサ２０５は記録部２００通過時のラベル紙１１２のスリップやジャムを検知するために必要である。透過型先端検知センサ２０２を含みセンサ類は入出力ポート３０８にてＣＰＵ３０１はほぼリアルタイムに状態の読み出しが可能である。入出力ポート３０８から電源３１３へ接続されている信号は操作パネル１０６上のエコスイッチ１０７が操作された時に駆動系電源（例えば+２４Ｖ）をオン・オフ制御するための制御線である。駆動系電源（例えば+２４Ｖ）は制御部３００内部で分圧された後ＡＤコンバータ（不図示）にて出力電圧値の読み取りが可能である。
【００１７】
図４は記録ヘッド２０３と記録装置１０１本体の制御部３００側との電気的な接続を示す。記録ヘッド制御回路３０７から記録データが記録ヘッド内部の制御ロジック４０１にシリアル入力されパラレル変換後ノズルヒータドライバ４０２に並列出力される。ノズルヒータドライバ４０２の数はインクをノズルから吐出させるためのノズルヒータ４０３の数と等しい。例えば記録幅が４インチで記録分解能が６００〔ｄｐi〕の記録ヘッドなら少なくとも２４００ノズル以上を必要とする。図４の実施例では記録幅が４．２インチ（有効ノズル数：２５２０）で冗長部分として両側に各２０ノズル分微調整範囲を持ち合計２５６０ノズルを保有する。尚記録ヘッド制御回路３０７から制御ロジック４０１には記録データに関連する信号の他、多数のノズルヒータドライバを時分割に駆動するための制御信号も入力される。
【００１８】
図５は記録装置１０１内蔵の電源３１３の入出力を示す。操作パネル１０６上のエコスイッチ１０７の操作に応答して制御部からの電源制御信号（ＳＬＥＥＰ）５０１のレベルが“Ｈ“又は“Ｌ“に変化し駆動系電源（例えば＋２４Ｖ）がオン・オフされる。電源スイッチ１０５が切られない限り後述する一部制御部の電源であるロジック系電源（例えば＋５Ｖ）は常にオン状態を維持する。
【００１９】
図６は本発明の第２の制御回路部であるエンジン部３００ａ、第１の制御回路部であるインタフェース部３００ｂとで分割された構成を示す図である。エンジン部とインタフェース部にはそれぞれを制御するエンジンＣＰＵ３０１、インタフェースＣＰＵ３０２が搭載されており、インタフェースＣＰＵ３０２からの電源制御信号であるＣＯＮＴ信号６０３の他にエンジンＣＰＵ３０１に電源制御信号ＰＯＷＥＲ信号６０４を設けることによって、上記２つの信号をＯＲゲート６０１を使用してＦＥＴ６０２をオン・オフし、ＣＰＵ３０１、及び周辺回路へのロジック電源電圧（＋５Ｖ）を制御する。本実施例ではＣＯＮＴ信号６０３、ＰＯＷＥＲ信号６０４ともに論理値：ＬＯＷにならない限り、ＣＰＵ３０１、及び周辺回路へのロジック電源電圧（＋５V）は供給状態を保つ。
【００２０】
以上の構成からなる実施例の動作の説明を図７に示すフローを参照して説明する。
図７は本発明を実施した記録装置１０１の操作パネル１０６上のエコスイッチ１０７が操作された時に制御部３００ａが実行するパワーオフ（シャットダウン）シーケンスの制御フローを示す。
パワーオン状態でエコスイッチ１０７の操作が検知されると（Ｓ７０１）、制御部３００ｂのＣＰＵ３０２は操作パネル上のＬＣＤ１０８にシャットダウン動作中の旨の表示制御し（Ｓ７０２）、次に制御部３００ａのＣＰＵ３０１によって記録中であれば記録動作を停止し（Ｓ７０３）、記録ヘッド２０３をキャッピング位置へ戻す（Ｓ７０４）。そして記録ヘッドやモータ駆動電圧用制御信号であるＳＬＥＥＰ信号５０１を制御して駆動系電源（例えば＋２４V）をオフする（Ｓ７０５）。
【００２１】
続いてインタフェースＣＰＵ３０２が電源制御信号であるＣＯＮＴ信号６０３を“Ｈ”から”Ｌ“に制御して低消費モードへ移行しようとすると（Ｓ７０６）、エンジンＣＰＵ３０１にてＣＯＮＴ信号６０３：Ｌが検知され、一方ＳＬＥＥＰ信号５０１によって駆動系電源（例えば＋２４V）が充分低下していることを確認する（Ｓ７０７）。駆動系電源の電圧値は不図示のＡＤコンバータでほぼリアルタイムに読み出しできる。
【００２２】
ここでもし所定時間経過しても駆動系の電源電圧が低下しない場合には（Ｓ７１３-Yes）、異常と判断しエラー表示する（Ｓ７１４）。
【００２３】
駆動系電源が充分低下したと判断すると（Ｓ７０７-Yes）、エンジンＣＰＵ３０１はエンジン部のＥＥＰＲＯＭ３０６に現時点の最新の設定情報等を書き込み、記憶する（Ｓ７０８）。続いてエンジンＣＰＵ３０１は電源制御信号であるＰＯＷＥＲ信号６０４を“Ｈ”から“Ｌ”に制御すると（Ｓ７０９）、ＯＲゲート６０１出力は“Ｈ”から“Ｌ”に変化するためＦＥＴ６０２がＯＦＦする。
【００２４】
この時点でエンジンＣＰＵ３０１、及び周辺回路へのロジック系電源電圧（＋５Ｖ）が遮断される（Ｓ７１０）。続いてインタフェースＣＰＵ３０２はＬＣＤ１０８のシャットダウン動作中の表示も消す（Ｓ７１１）。最後にインタフェースＣＰＵ３０２はエコスイッチ１０７の操作を受付状態にセットして（７１２）終了する。
なお記録装置がネットワークプリンタの場合、例えば、クライアントからの電源オフ指示を受けて、上述のような処理を開始しても良いし、また所定時間記録指令が無い場合、タイマー出力により上述の制御を開始しても良い。
【００２５】
また、低消費モードへ移行した場合において、外部インタフェース（ＵＳＢ等）の接続により印刷命令を受信すると、ただちに印刷可能状態となるようにインタフェースＣＰＵ３０２が電源制御信号であるＣＯＮＴ信号６０３を“Ｌ”から“Ｈ”に制御してロジック電源（＋５V）を供給することも可能である。
【産業上の利用可能性】
【００２６】
本発明は、制御部がインタフェース部（又はシステム制御部）とエンジン部とに分割制御される記録装置に利用可能である.
【図面の簡単な説明】
【００２７】
【図１】本発明を実施した記録装置とホストＰＣが接続された概略図である。
【図２】本発明を実施した記録装置の記録部の概略を示す図である。
【図３】本発明を実施した記録装置の電気的なブロック図である。
【図４】本発明を実施した記録装置から記録ヘッドへの電源供給方法を示す図である。
【図５】本発明を実施した記録装置の電源部周辺の接続を示す図である。
【図６】本発明を実施した記録装置エンジン部とインタフェース部のブロック図である。
【図７】本発明によるパワーオフ（シャットダウン）シーケンスを示すフローである。
【符号の説明】
【００２８】
１００  ホストＰＣ
１０１  記録装置
１０５  電源スイッチ
１０６  操作パネル
１０７  エコスイッチ
１０８  ＬＣＤ
２０３  記録ヘッド
２０４  搬送部
３００ａ  エンジン部
３００ｂ  インタフェース部
３０１  エンジン部ＣＰＵ
３０２  インタフェース部ＣＰＵ
３０６  ＥＥＰＲＯＭ
３１３  電源
４０１  制御ロジック
４０２  ノズルヒータドライバ
４０３  ノズルヒータ
４０４  コンデンサ
５０１  電源制御信号（ＳＬＥＥＰ）
６０１  ＯＲゲート
６０２  ＦＥＴ
【図１】
2007055025.tif 000003
【図２】
2007055025.tif 000004
【図３】
2007055025.tif 000005
【図４】
2007055025.tif 000006
【図５】
2007055025.tif 000007
【図６】
2007055025.tif 000008
【図７】
2007055025.tif 000009